(57)【要約】【課題】紙体の使用面積を確保しつつ、折り畳まれた状態から容易に使用状態に広げることができる紙おしぼりを提供する。【解決手段】紙おしぼり１は、第一折り返し部５を境に第一紙体４と連設された第二紙体６を有する紙体２により構成され、第一折り返し部５に沿って折り返された第一紙体４の一部が、折り畳み部９に沿って折り畳まれることで形成されたつまみ部３を備える構成をとる。【選択図】図３
2020000479.tif 000002
【特許請求の範囲】
【請求項１】
折り返し部を境に第一紙体と連設された第二紙体を有する紙体により構成される紙おしぼりにおいて、
前記折り返し部に沿って折り返された前記第一紙体の一部が、折り畳み線に沿って折り畳まれることで形成されたつまみ部を備える、
ことを特徴とする紙おしぼり。
【請求項２】
折り畳まれた状態で、
前記つまみ部が、おもて側に形成されている、
ことを特徴とする請求項１に記載の紙おしぼり。
【請求項３】
矩形状であり、
前記つまみ部が長手方向に形成されている、
ことを特徴とする請求項１又は請求項２に記載の紙おしぼり。
【請求項４】
前記つまみ部が形成されることで、側部に被押圧部が形成される、
ことを特徴とする請求項１から請求項３の何れか１項に記載の紙おしぼり。
【発明の詳細な説明】
【技術分野】
【０００１】
本発明は、折り畳まれた状態から容易に使用状態に広げることができる紙おしぼりに関する。
【背景技術】
【０００２】
紙おしぼりは、主に飲食店で提供されている。通常、この紙おしぼりは、紙おしぼりを構成する紙体に水分を含浸させ、ビニール製の袋体に収容された状態で、利用者に提供される。
紙おしぼりには、紙体が円柱状に丸められた状態で袋体に収容されているものや紙体が矩形状に折り畳まれた状態で袋体に収容されているものがある。
紙おしぼりの紙体には、水分が含浸されているため、矩形状に折り畳まれた紙おしぼりを、折り畳まれた状態から使用状態に広げる際、紙体同士が重なった部分を広げる作業に両手を使用する必要があり、紙おしぼりを使用する際に手間がかかっていた。
【０００３】
この重なった紙体同士を広げる際に生じる手間を解消するための敷き又は拭きペーパー（以下、拭きペーパーと記す。）が開示されている（例えば、特許文献１）。
特許文献１の拭きペーパーは、紙体に切欠部が形成され、この切欠部が表面に現れるように設計されている。この拭きペーパーでは、切欠部を手で摘まみ取り、その拭きペーパーをつまみ上げ、つまんでいる手を軽く振るだけで、折り畳んだ状態の拭きペーパーを素早く折り畳んでいない状態とすることができる。そうすると、折り畳まれた拭きペーパーを片手で使用状態とすることができため、拭きペーパーを使用する際に生じていた手間を省くことができる。
【先行技術文献】
【特許文献】
【０００４】
【特許文献１】特開２００２−２９１６４６号公報
【発明の概要】
【発明が解決しようとする課題】
【０００５】
特許文献１の拭きペーパーは、切欠部を形成するために、廃材が必ず生じる。廃材が生じると、その廃材を廃棄する手間が生じる。
さらに、紙おしぼりは、手を拭いたり、テーブルに付着した汚れを拭いたりするものであるため、できるだけ大きい使用面積が確保できることが好ましい。
【０００６】
そこで、本発明は、紙体の使用面積を確保しつつ、折り畳まれた状態から容易に使用状態に広げることができる紙おしぼりを提供することを目的とする。
【課題を解決するための手段】
【０００７】
本発明に係る紙おしぼりは、折り返し部を境に第一紙体と連設された第二紙体を有する紙体により構成されるものであって、折り返し部に沿って折り返された第一紙体の一部が、折り畳み線に沿って折り畳まれることで形成されたつまみ部を備えることを特徴とする。
【０００８】
本発明に係る紙おしぼりは、折り畳まれた状態で、つまみ部が、おもて側に形成されていることを特徴とする。
【０００９】
本発明に係る紙おしぼりは、矩形状であり、つまみ部が長手方向に形成されていることを特徴とする。
【００１０】
本発明に係る紙おしぼりは、つまみ部が形成されることで、側部に被押圧部が形成されることを特徴とする。
【発明の効果】
【００１１】
本発明に係る紙おしぼりは、つまみ部を備えているため、紙おしぼりの使用者は、このつまみ部をつまんで広げることで、折り畳まれた状態から所望のサイズの使用状態に広げることができる。したがって、使用者は、紙おしぼりを容易に使用状態とすることができる。
また、本発明に係る紙おしぼりは、紙体を折り畳むことによって、つまみ部を形成するため、通常の紙おしぼりと同じサイズの使用面積を確保できる。
【００１２】
本発明に係る紙おしぼりは、折り畳まれた状態で、つまみ部がおもて側のつまみやすい位置に形成されている。そのため、使用者は、すぐにつまみ部をつまむことで、紙おしぼりを使用状態に広げることができる。
【００１３】
本発明に係る紙おしぼりは、つまみ部が長手方向に形成されている。そうすると、つまみ部が短手方向に形成されているものよりも、つまみ部の面積が広く確保できる。そのため、使用者は、つまみ部の所望の位置をつまんで使用状態に開くことができる。
【００１４】
本発明に係る紙おしぼりは、つまみ部が形成されることで、側部に被押圧部が形成される。紙おしぼりは、被押圧部を押し棒で押圧して、収容袋に収容される。そのため、側部に厚さの大きい被押圧部を形成させ、押し棒と被押圧部の接触面積を大きくすることで、紙おしぼりを収容袋に容易に収容できる。
【図面の簡単な説明】
【００１５】
【図１】本発明の実施形態に係る紙おしぼりを示す図である。（ａ）紙おしぼり、（ｂ）紙おしぼりを構成する紙体
【図２】本発明の実施形態に係る紙おしぼりを作成する手順を説明するための図である。（ａ）二つ折り状態、（ｂ）巻き四つ折り状態、（ｃ）つまみ部形成状態
【図３】本発明の実施形態に係る紙おしぼりを示す図である。（ａ）概略図、（ｂ）（ａ）の矢印方向Ａから視た図
【図４】本発明の実施形態に係る紙おしぼりを収容袋に収容する手順を説明するための図である。
【図５】本発明の実施形態に係る紙おしぼりの他の例１を示す図である。（ａ）概略図、（ｂ）（ａ）の矢印方向Ａから視た図
【図６】本発明の実施形態に係る紙おしぼりの他の例２を示す図である。（ａ）概略図、（ｂ）（ａ）の矢印方向Ａから視た図
【図７】本発明の実施形態に係る紙おしぼりの他の例３を示す図である。（ａ）概略図、（ｂ）（ａ）の矢印方向Ａから視た図
【発明を実施するための形態】
【００１６】
本実施形態に係る紙おしぼりを、図１から図４を参照し説明する。この紙おしぼりは、一枚の紙体から構成されており、水分が適度に含浸されたものである。
以下、図１に基づき、短手方向を横方向Ｘ、長手方向を縦方向Ｙと記す。
【００１７】
本実施形態に係る紙おしぼり１は、図１（ａ）に示すように、紙おしぼり１を構成する紙体２の左側のおもて側につまみ部３が形成されている。この紙体２は、図１（ｂ）に示すように、矩形状であり、第一紙体４と、この第一紙体４と第一折り返し部５を介して連設された第二紙体６を有する。この第一折り返し部５は、紙体２を略二等分する位置に形成され、第一折り返し部５の右側が第一紙体４、左側が第二紙体６となる。
【００１８】
第一紙体４を二等分する位置、及び第二紙体６を二等分する位置には、それぞれ縦方向Ｙに沿って、第二折り返し部７がそれぞれ形成されている。さらに、紙体２を略二等分する位置には、横方向Ｘに沿って、第三折り返し部８が形成されている。
そして、第一紙体４の中心よりも右側及び第二紙体６の中心よりも左側には、折り畳み部９が縦方向Ｙに沿ってそれぞれ形成されている。
【００１９】
次に、本実施形態に係る紙おしぼり１の作製手順について説明する。
まず、図１（ｂ）に示す紙体２の第一紙体４を第一折り返し部５に沿って、折り返すことで、第一紙体４を第二紙体６に重ね合わせる。そうすると、紙体２は、図２（ａ）に示すように、半分のサイズに折り畳まれ、２層となる（２つ折り状態）。
次に、２つ折り状態の紙体２の左側部分を第二折り返し部７に沿って、右側に折り返す（矢印Ｆ１）。そうすると、紙体２は、図２（ｂ）に示すように、さらに半分のサイズ（紙体２の１／４サイズ）に折り畳まれ、４層となる（巻き４つ折り状態）。
【００２０】
そして、第一紙体４と第二紙体６が重なっている上側の２層を折り畳み部９に沿って、左側に折り返す（矢印Ｆ２）。そうすると、紙体２は、図２（ｃ）に示すように、左側部分は、６層となり、右側部分は２層となる。この左側部分の上下２層がつまみ部３となる。
最後に、第三折り返し部８に沿って、紙体２を半分に折り畳む（矢印Ｆ３）。そうすると、図３（ａ）に示すように、おもて面及びうら面につまみ部３がそれぞれ形成された紙おしぼり１となる。
また、紙おしぼり１は、平面視すると、図３（ｂ）に示すように、左側領域（図３（ｂ）左側部分）の側部は１２層となり、右側領域（図３（ｂ）右側部分）の側部よりも厚みが大きくなる。本実施形態において、紙おしぼり１の厚みが大きくなった側部を被押圧部１０と呼ぶ。
なお、通常の紙おしぼり（つまみ部が形成されていない紙おしぼり）の側部は、平面視すると、どの領域も同じ厚みを有している。
【００２１】
紙おしぼり１は、折り畳まれた後、図４に示すように、ビニール製の収容袋２０に収容される。この収容工程では、例えば、押し棒２１によって被押圧部１０を押し、紙おしぼり１を収容袋２０に収容する。
【００２２】
次に、本実施形態に係る紙おしぼり１の作用効果について説明する。
【００２３】
本実施形態に係る紙おしぼり１は、おもて側につまみ部３を有している。紙おしぼり１の使用者は、このつまみ部３をつまんで開くことで、折り畳まれた状態から所望のサイズの使用状態に広げることができる。このつまみ部３は、片手でつまむことができるため、使用者は、両手を使わずに、容易に使用状態に広げることができる。
また、このつまみ部３は、縦方向Ｙ（長手方向）に形成されているため、つまみ部３が横方向Ｘ（短手方向）に形成されている場合と比べ、つまみ部３の面積を広く確保することができる。そのため、使用者は、つまみ部３の所望の位置をつまんで使用状態に開くことができる。
【００２４】
また、本実施形態に係る紙おしぼり１は、紙体２の折り返し（折り畳み）方法を工夫し、つまみ部３を形成する。そのため、通常の紙おしぼりと同じサイズの使用面積を確保できる。
【００２５】
紙おしぼり１は、被押圧部１０を押し棒２１で押圧して、収容袋２０に収容される（図４）。本実施形態に係る紙おしぼり１は、つまみ部３を形成し、側部に厚さの大きい被押圧部１０を形成することで、押し棒２１の先端が接触する被押圧部１０の面積が大きくなる。
そうすると、押し棒２１からの力が紙おしぼり１に伝わりやすくなり、紙おしぼり１を円滑に収容袋２０に収容しやすくなる。
したがって、紙おしぼり１につまみ部３を形成することで、紙おしぼり１を使用状態に容易に広げやすくなるのみならず、紙おしぼり１の生産性を向上させることができる。
【００２６】
［他の例］
上述した通り、本実施形態に係る紙おしぼり１は、つまみ部３を備えていることが大きな特徴部分である。上述した紙おしぼり１以外の他の例１から３について、図５から図７を参照して説明する。
【００２７】
紙おしぼり１Ａは、つまみ部３を形成させる位置が、紙おしぼり１と異なる。
紙おしぼり１Ａは、図５（ａ）に示すように、つまみ部３を横方向Ｘの中央に形成させる。そうすると、被押圧部１０は、図５（ｂ）に示すように、側部の中央に形成される。
【００２８】
紙おしぼり１Ｂは、４つ折り状態からつまみ部３を形成させる方法が、紙おしぼり１の場合と異なる。紙おしぼり１Ｂは、図６（ａ）に示すように、つまみ部３を形成する際に、２度折り返す。そうすると、紙おしぼり１Ｂは、図６（ｂ）に示すように、紙おしぼり１と比べ、被押圧部１０の厚みがさらに大きくなる。そのため、押し棒２１と接触する被押圧部１０面積が大きくなり、紙おしぼり１を収容袋２０に収容しやすくなり、紙おしぼり１の生産性をさらに向上させることができる。
【００２９】
紙おしぼり１Ｃは、つまみ部３をおもて面にのみ形成させる点で、紙おしぼり１と異なる。紙おしぼり１Ｃは、図７（ａ）に示すように、８つ折り状態からつまみ部３を三角形状に形成させる。この場合、被押圧部は、図７（ｂ）に示すように、側部全体となる。
この紙おしぼり１Ｃは、おもて面にのみつまみ部３を形成させるため、紙おしぼりの厚さが大きくなることを避けたい場合に有効である。
【００３０】
以上、本実施形態について説明したが、これ以外にも、本発明の主旨を逸脱しない限り、上記実施の形態で挙げた構成を取捨選択したり、他の構成に適宜変更することが可能である。
【符号の説明】
【００３１】
１      紙おしぼり
１Ａ〜１Ｃ  紙おしぼり
２      紙体
３      つまみ部
４      第一紙体
５      第一折り返し部
６      第二紙体
７      第二折り返し部
８      第三折り返し部
９      折り畳み部
１０    被押圧部
２０    収容袋
２１    押し棒
Ｘ      横方向
Ｙ      縦方向
Ｚ      厚み方向
【図１】
2020000479.tif 000003
【図２】
2020000479.tif 000004
【図３】
2020000479.tif 000005
【図４】
2020000479.tif 000006
【図５】
2020000479.tif 000007
【図６】
2020000479.tif 000008
【図７】
2020000479.tif 000009
【手続補正書】
【提出日】平成30年10月2日(2018.10.2)
【手続補正２】
【補正対象書類名】明細書
【補正対象項目名】０００１
【補正方法】変更
【補正の内容】
【０００１】
本発明は、折り畳まれた状態から容易に使用状態に広げることができる紙おしぼりの製造方法に関する。
【手続補正３】
【補正対象書類名】明細書
【補正対象項目名】０００６
【補正方法】変更
【補正の内容】
【０００６】
そこで、本発明は、紙体の使用面積を確保しつつ、折り畳まれた状態から容易に使用状
態に広げることができる紙おしぼりの製造方法を提供することを目的とする。
【手続補正４】
【補正対象書類名】特許請求の範囲
【補正対象項目名】全文
【補正方法】変更
【補正の内容】
【特許請求の範囲】
【請求項１】
折り返し部を境に第一紙体と連設された第二紙体を有する紙体により構成される、矩形状の紙おしぼりを製造する紙おしぼりの製造方法において、
前記折り返し部に沿って折り返し、前記第一紙体の一部を、折り畳み線に沿って折り畳むことで、短手方向の中央全域にのみ、つまみ部を形成する工程と、
前記つまみ部を形成した後、前記つまみ部がおもて面及びうら面に現れるように、長手方向の中心を境に前記紙体を折り返すことで、側部の中央に、前記おもて面のつまみ部及び前記うら面のつまみ部と連接された被押圧部を形成する工程と、
押し棒によって、前記被押圧部を押すことにより、一つの前記紙体を収容袋に収容する工程と、を含む、
ことを特徴とする紙おしぼりの製造方法。
【手続補正書】
【提出日】平成30年11月9日(2018.11.9)
【手続補正１】
【補正対象書類名】特許請求の範囲
【補正対象項目名】全文
【補正方法】変更
【補正の内容】
【特許請求の範囲】
【請求項１】
折り返し部を境に第一紙体と連設された第二紙体を有する紙体により構成される、矩形状の紙おしぼりを製造する紙おしぼりの製造方法において、
前記紙体を略二等分する位置に形成される前記折り返し部に沿って折り返し、短手方向の中央全域にのみ、つまみ部が形成されるように、前記第一紙体の一部を、折り畳み線に沿って折り畳む工程と、
前記つまみ部を形成した後、前記つまみ部がおもて面及びうら面に現れるように、長手方向の中心を境に前記紙体を折り返すことで、前記短手方向の中央に、前記おもて面のつまみ部及び前記うら面のつまみ部と連接された被押圧部を形成する工程と、
押し棒によって、前記被押圧部を押すことにより、一つの前記紙体を収容袋に収容する工程と、を含む、
ことを特徴とする紙おしぼりの製造方法。